(57)【要約】      （修正有）【課題】ポケット形成用の合着部材の数を減らしてポケット形成を簡素化すると共に、エプロン全体の見栄えを良くし、かつ形崩れの少ないポケットを形成可能にする。【解決手段】着用者の首回りに対する着脱部２を設けたエプロン１の左右両側の裏面に定着した上下一対の合着部材を各対毎に合着することでエプロン１に折り返し部５を形成する一方、着脱部２を着用者の首回りに掛けたエプロンの着身状態で、各合着部材の内側下方におけるエプロンの前側を弛ませて凹所６を作ると共に、この凹所の左右両側内部にそれぞれ折り返し部５の角縁５Ａ付近を内向きに曲げ入れ、これら各角縁付近を下方に押し込みつつ凹所６の両側をそれぞれ外向き下方に押し広げることで、エプロン１の前側にほぼ水平で上部開放のポケットを形成可能にした。【選択図】図１
0003134496.tif 000002
【実用新案登録請求の範囲】
【請求項１】
着用者の首回りに対する着脱部を設けたエプロンの左右両側にそれぞれ上下に対をなす合着部材を設け、これら各合着部材を上下各対毎に合着してエプロンの前側にポケットを形成するタイプのエプロンにおいて、エプロン全体を撥水性厚手布地で作り、その左右両側の裏面に定着した上下一対の合着部材を各対毎に合着することでエプロン前側に折り返し部を形成する一方、前記着脱部を着用者の首回りに掛けたエプロンの着身状態で、前記各合着部材の内側下方におけるエプロンの前側を弛ませて凹所を作ると共に、この凹所の左右両側内部にそれぞれ前記折り返し部の角縁付近を内向きに曲げ入れ、これら各角縁付近を下方に押し込みつつ凹所両側をそれぞれ外向き下方に押し広げることで、エプロンの前側にほぼ水平で上部開放のポケットを形成できる撥水性エプロン。
【請求項２】
着用者の首回りに対する着脱部を設けたエプロンの左右両側にそれぞれ上下に対をなす合着部材を設け、これら各合着部材を上下各対毎に合着してエプロンの前側にポケットを形成するタイプのエプロンにおいて、エプロン全体を撥水性微細凹凸により表面摩擦と撥水性とを大きくした生地で作り、その左右両側の裏面に定着した上下一対の合着部材を各対毎に合着することでエプロン前側に折り返し部を形成する一方、前記着脱部を着用者の首回りに掛けたエプロンの着身状態で、前記各合着部材の内側下方におけるエプロンの前側を弛ませて凹所を作ると共に、この凹所の左右両側内部にそれぞれ前記折り返し部の角縁付近を内向きに曲げ入れ、これら各角縁付近を下方に押し込みつつ凹所両側をそれぞれ外向き下方に押し広げることで、エプロンの前側にほぼ水平で上部開放のポケットを形成できる撥水性エプロン。
【考案の詳細な説明】
【技術分野】
【０００１】
本考案は、ポケットを形成できる撥水性エプロンに係り、特にポケット形成用の折り返し合着部材の数を減らしてポケット形成を簡素化すると共に、エプロン全体の見栄えを良くし、かつ形崩れの少ないポケットを形成できる撥水性エプロンに関する。
【背景技術】
【０００２】
従来のポケットを形成できるエプロンとしては、下記の特許文献１に記載のように、着用者の首回りに対する着脱部を設けたエプロンの左右両側表面にそれぞれ上下２対ずつ計８個の合着部材を設け、これら各合着部材を上下各対毎に合着してエプロンの前側に左右両側がたくし上がったポケットを形成できる食事用エプロンが周知である。
【特許文献１】特開２００６−８９８５４号公報
【０００３】
また、ポケットを形成できる撥水性エプロンとしては、例えば下記の特許文献２に記載のように、エプロン全体を撥水性布地で作り、その表裏各面の左右に上下２対ずつ計４対、合計８個の合着部材を定着し、これら各合着部材を上下各対毎にエプロンの裾部分に埋設した芯材がポケットの入り口になるように合着してエプロンの前側に前記芯材で保形したポケットを形成できる食事用エプロンも周知である。
【特許文献２】特開２０００−１３６４０８号公報
【考案の開示】
【考案が解決しようとする課題】
【０００４】
前記特許文献１のエプロンの材質は、文献１中の段落番号「００１９」に記載してある唯一の例によれば、液体が透過しないか、または殆ど透過しないポリエステル製の織物とあるだけで、撥水性については何ら言及が無く、エプロン材質によっては醤油や味噌汁といったような着色液体がエプロンに付着浸透することも有り、特にその乾燥後の汚れ落としや洗濯が容易でなく、綺麗に汚れが落ちないという根源的で切実な問題点が有る。
【０００５】
また上記従来のエプロンは、その左右両側表面にそれぞれ設けた上下２対ずつ、計８個という多くの合着部材を上下各対毎に合着してエプロンにポケットを形成するものだから、多くの合着部材中から所要対合着部材の選定を間違い易いので、高齢者や幼児ではポケット形成もままならぬという切実な問題点が有るほかに、エプロンの左右両側表面には、上記多くの合着部材がズラリと並んでいて見栄えが悪いという根源的な問題点も有る。
【０００６】
さらに、前記特許文献２のエプロンは、撥水性のエプロンではあるが、エプロンの表裏各面の左右に上下２対ずつ計４対、合計８個の合着部材を定着し、これら各合着部材を上下各対毎にエプロンの裾部分に入れたポケット開口を広げて保形するための芯材がポケットの入り口になるように合着してエプロンの前側に前記芯材で保形したポケットを形成できる食事用エプロンである。
【０００７】
したがって、この特許文献２のエプロンは、その表裏各面の左右を複雑に折り返したり、元に戻したりしながら多くの合着部材中から所要対の合着部材だけを間違い無く合着する必要が有るので、高齢者や幼児では、ポケットを形成しづらいという切実な問題点が有るし、エプロンの裾部分には、前記硬い芯材が埋設して有るので、この芯材をエプロンから抜去しなければ洗濯機での洗濯は不可能であるし、エプロンを無造作に使用した場合には、硬い芯材が生体に当たり易く、危険でもあるという根源的で切実な問題点が有る。
【０００８】
また、着用者の首回りに対する着脱部を設けたエプロンの裏面左右両側にそれぞれ上下１対だけの合着部材を設け、エプロンにポケットを形成できるとした食事用エプロンもインターネットのホームページに載ったことも有った。
【０００９】
ところが、上記ホームページ自体と、その紹介販売品とには、それぞれエプロンの左右両側を部分的に折り返したエプロンの略図と、「ホック操作でポケットができます」という極く簡単な説明しか無く、ポケット作成手順の説明が全く無いので、購入者は余程の工面工夫をしなければ、エプロンにポケットを形成できないし、この従来品は、エプロン素材がポリエステルのペラペラした薄手生地で腰が弱く、折角苦労して作成したポケットが直ぐに形崩れし、幼児や身障者向けの食事用エプロンとしては、直ぐに使い物にならなくなるという根源的で切実な問題点が有った。
【００１０】
この考案は、ポケット形成用の合着部材の数を減らしてポケット形成を簡素化すると共に、エプロン全体の見栄えを良くし、かつ形崩れの少ないポケットを形成可能にすることを目的とする。
【課題を解決するための手段】
【００１１】
上記した本考案の目的は、着用者の首回りに対する着脱部を設けたエプロンの左右両側にそれぞれ上下に対をなす合着部材を設け、これら各合着部材を上下各対毎に合着してエプロンの前側にポケットを形成するタイプのエプロンを作るに当り、エプロン全体を撥水性厚手布地、または撥水性微細凹凸により表面摩擦と撥水性とを大きくした生地で作り、その左右両側の裏面に定着した上下一対の合着部材を各対毎に合着することでエプロン前側に折り返し部を形成する一方、前記着脱部を着用者の首回りに掛けたエプロンの着身状態で、前記各合着部材の内側下方におけるエプロンの前側を弛ませて凹所を作ると共に、この凹所の左右両側内部にそれぞれ前記折り返し部の角縁付近を内向きに曲げ入れ、これら各角縁付近を下方に押し込みつつ凹所両側をそれぞれ外向き下方に押し広げることで、エプロンの前側にほぼ水平で上部開放のポケットを形成可能にしたことで達成できた。
【考案の効果】
【００１２】
この考案における請求項１の考案によれば、合着状態にある前記合着部材の内側下方におけるエプロンの前側を弛ませて凹所を作ると共に、この凹所の左右両側内部にそれぞれ前記折り返し部の角縁付近を内向きに曲げ入れ、これら各角縁付近を下方に押し込みつつ凹所両側をそれぞれ外向き下方に押し広げることで、エプロンの前側にほぼ水平で上部開放のポケットを形成できたので、前記撥水性厚手布地固有の大きい圧接摩擦でポケット左右両側を保形でき、型崩れが少ないポケットを形成できたという優れた効果が有る。
【００１３】
本考案によるエプロンにポケットを形成するための前記合着部材は、エプロンの裏面だけに左右１対ずつ設けるだけで前記のようにポケットを形成できるから、前記各特許文献のような面倒で厄介な多くの合着部材の選定合着によるポケット形成作業は、本考案では一切不要で、簡単に間違い無くポケットを形成できるし、エプロンの展示販売時やポケット形成着用時とか、展開着用時には、それぞれ合着部材がエプロンの裏側に常に隠れているので、見栄良く風格有る撥水性のエプロンを提供できたという優れた効果も有る。
【００１４】
本考案における請求項２の考案によれば、エプロン全体を撥水性微細凹凸により表面摩擦と撥水性とを大きくした生地で作ったので、上記微細凹凸固有の大きい圧接摩擦でポケット左右両側を強固に補強でき、より一層型崩れが少ないポケットを形成できると共に、エプロン全体として上記微細凹凸により高級感溢れるエプロンとなったし、上記撥水性微細凹凸面により、エプロン全体の撥水性が一層向上したという効果を付加できた。
【考案を実施するための最良の形態】
【００１５】
次に、本考案を実施するための最良の形態例を説明すると、本考案によるエプロン１は、全体として撥水処理を施した合成繊維織物などの撥水性に優れた厚手布地、または撥水性微細凹凸を周知の手段で形成した表面摩擦と撥水性とが大きい布地や生地で作り、このエプロン１の上部に設けた図１・図２のような首回り着脱部２を着用者ａの首回りに図１・図８のように掛けたり、図２のように外したりするためのボタンと、その引っ掛けリングなどの着脱部材３を図２のように上記首回り着脱部２の上部に周知の手段で設ける。
【００１６】
次いで、エプロン１の中間部における左右両側裏面には、それぞれ図２・図３のように上下に対をなす大形ホックなどの合着部材４を周知の縫合手段で固定して設け、これら各合着部材４を図４のように上下各対毎に合着した後、図４の矢示方向に持ち上げることで、エプロン１の前側に図５のような上向きの折り返し部５を形成する。
【００１７】
その後（またはその前）に前記エプロン１の首回り着脱部２を着用者ａの首回りに掛けた図１のような着身状態のエプロン１における前記合着部材４の内側下方のエプロン前側を図１・図６のように弛ませて凹所６を作ると共に、この凹所６の左右両側内部に前記折り返し部５の左右両側角縁５Ａ付近をそれぞれ図１のように外から内向き下方に曲げ入れ、これら各角縁５Ａ付近をそれぞれ図６のように両手で下方に押し込みつつ、凹所６の両側をそれぞれ外向き下方に図７のように押し広げることで、左右の合着部材４の内側におけるエプロン１の前側に図８のようなほぼ水平で上部開放のポケット７を形成できた。
【実施例】
【００１８】
本考案による撥水性エプロン１は、例えばテーブルに着席したり、洗面台の前に立ったエプロン着用者または、その介添人は、前記各図のような手順でエプロン１の前側にポケット７を作った後、食事や歯磨きを行えば、着用者の口から零れたり、溢れ出た液体や固形物は、遠くへ飛ぶものを除き、大部分が上記ポケット７に入るので、着用者は、衣服を汚さないで食事や歯磨きを行える。
【００１９】
ただし、エプロン１のポケット７に入った液体は、本考案によるエプロン１の布地や生地素材固有の優れた撥水作用により、水玉状になって弾かれて転がり易くなっているため、エプロン１に付着せず、かつ滲み込まないのでポケット７は汚れず、ポケット７内の上記水玉状液体や固形物は、エプロン１を軽く振ることで、屑受け内などに落下させ得るし、僅かに汚れが付着したとしても、展開状態で洗濯すれば簡単に綺麗になる。
【図面の簡単な説明】
【００２０】
【図１】本考案によるエプロンにポケットを形成する過程を示す斜視図
【図２】本考案によるエプロンの展開立面図
【図３】本考案によるエプロンの展開側面図
【図４】本考案によるエプロン折り返し部の形成例を示す右側面図
【図５】本考案によるエプロン折り返し部の形成例を示す立面図
【図６】図１に示すものの次の手順を示す要部の斜視図
【図７】図７に示すものの次の手順を示す要部の斜視図
【図８】本考案によるエプロンの使用形態の一例を示す立面図
【符号の説明】
【００２１】
１…エプロン
２…首回り着脱部
３…着脱部材
４…合着部材
５…折り返し部
５Ａ…折り返し部の角縁
６…凹所
７…ポケット
【図１】
0003134496.tif 000003
【図２】
0003134496.tif 000004
【図３】
0003134496.tif 000005
【図４】
0003134496.tif 000006
【図５】
0003134496.tif 000007
【図６】
0003134496.tif 000008
【図７】
0003134496.tif 000009
【図８】
0003134496.tif 000010